(57)【要約】 【課題】プライバシー性を確保しつつ採光性を向上させることができるフェンスを提供する。【解決手段】フェンス１は、第１空間２側から入射した光を第２空間３側に出射する採光部材４を備え、採光部材４は、第１空間２側から入射した光を偏向して第２空間３側に出射する偏向層４０を有する。【選択図】図１
2020037849.tif 000002
【特許請求の範囲】
【請求項１】
第１空間と第２空間との間に配置されるフェンスであって、
前記第１空間側から入射した光を前記第２空間側に出射する採光部材を備え、
前記採光部材は、前記第１空間側から入射した光を偏向して前記第２空間側に出射する偏向層を有する、フェンス。
【請求項２】
前記採光部材は、前記第１空間側から入射した光を拡散させて前記第２空間側に出射する光拡散層を更に有する、請求項１に記載のフェンス。
【請求項３】
前記光拡散層は、前記偏向層よりも前記第２空間側に配置される、請求項２に記載のフェンス。
【請求項４】
前記偏向層よりも前記第１空間側および前記第２空間側に、紫外線吸収剤が設けられている、請求項１〜３のいずれか一項に記載のフェンス。
【請求項５】
前記採光部材に積層された透明部材を更に備える、請求項１に記載のフェンス。
【請求項６】
前記透明部材は、前記採光部材に対して前記第１空間側および前記第２空間側の双方に配置されている、請求項５に記載のフェンス。
【請求項７】
前記透明部材は、光拡散性を有する、請求項５または６に記載のフェンス。
【請求項８】
前記透明部材は、前記採光部材と面接合されている、請求項５〜７のいずれか一項に記載のフェンス。
【請求項９】
前記透明部材は、前記採光部材と面接合されていない、請求項５〜７のいずれか一項に記載のフェンス。
【請求項１０】
前記偏向層は、前記フェンスの熱膨張にともなって前記第１空間側に湾曲する、請求項８に記載のフェンス。
【請求項１１】
前記採光部材は、熱膨張率が異なる複数の層を有し、前記採光部材の温度上昇時に前記第１空間側に湾曲する、請求項１０に記載のフェンス。
【請求項１２】
前記透明部材は、前記採光部材よりも前記第１空間側に配置され、温度上昇時に熱膨張にともなって前記第１空間側に湾曲し、
前記偏向層は、前記透明部材に押されて前記第１空間側に湾曲する、請求項１０に記載のフェンス。
【請求項１３】
前記透明部材と前記採光部材との間に空隙が設けられている、請求項９に記載のフェンス。
【請求項１４】
前記採光部材を複数備える、請求項１〜１３のいずれか一項に記載のフェンス。
【請求項１５】
前記複数の採光部材は、下端が上端よりも前記第１空間側に位置するように上下方向に対して傾斜して配置されている、請求項１４に記載のフェンス。
【請求項１６】
前記複数の採光部材は、上下方向に間隔を空けて配置されている、請求項１４または１５に記載のフェンス。
【請求項１７】
前記採光部材の外周面を封止する封止部材を更に備える、請求項１〜１６のいずれか一項に記載のフェンス。
【請求項１８】
前記偏向層は、前記第１空間側から下向きに入射した光を上方側に偏向して前記第２空間側に出射する、請求項１〜１７のいずれか一項に記載のフェンス。
【請求項１９】
前記第１空間は、建物の敷地外であり、前記第２空間は、建物の敷地内である、請求項１〜１８のいずれか一項に記載のフェンス。
【請求項２０】
前記透明部材に、紫外線吸収剤が設けられている、請求項１３に記載のフェンス。
【請求項２１】
前記採光部材に対して前記第１空間側に配置された第１透明部材と、
前記採光部材に対して前記第２空間側に配置された第２透明部材と、
前記第１透明部材および前記第２透明部材の少なくとも一方と前記採光部材との間に空隙を保持しながら、前記第１透明部材と前記第２透明部材との間に前記採光部材を固定する固定部材と、を更に備える、請求項１に記載のフェンス。
【請求項２２】
前記採光部材、前記第１透明部材および前記第２透明部材の外周を覆う枠部材を更に備え、
前記採光部材の下端部は、前記第１透明部材および前記第２透明部材の下端部よりも上方に位置する、請求項２１に記載のフェンス。
【請求項２３】
前記採光部材、前記第１透明部材および前記第２透明部材の外周を覆う枠部材を更に備え、
前記枠部材の下端部分に、上下に貫通する貫通孔が設けられている、請求項２１または２２に記載のフェンス。
【請求項２４】
前記固定部材は、粘着層を有する、請求項２１〜２３のいずれか一項に記載のフェンス。
【請求項２５】
前記固定部材は、前記採光部材を貫通するように前記第１透明部材から前記第２透明部材まで延びる棒状体を有する、請求項２１〜２３のいずれか一項に記載のフェンス。
【請求項２６】
前記採光部材、前記第１透明部材および前記第２透明部材の外周を覆う枠部材を更に備え、
前記第１透明部材および前記第２透明部材のうち一方の透明部材は、他方の透明部材側の表面に凹部が設けられ、
前記採光部材は、前記凹部内に位置し、
前記固定部材は、前記第２透明部材側の第１透明部材の表面における周縁部と、前記第１透明部材側の前記第２透明部材の表面における周縁部との間に位置する枠状のスペーサを有し、
前記採光部材、前記第１透明部材、前記第２透明部材および前記スペーサは、圧入された状態で前記枠部材に保持され、
前記スペーサは、前記他方の透明部材と前記採光部材との間に空隙を保持しながら、前記一方の透明部材側に前記採光部材を押圧することで前記採光部材を固定する、請求項２１〜２３のいずれか一項に記載のフェンス。
【発明の詳細な説明】
【技術分野】
【０００１】
本開示は、フェンスに関する。
【背景技術】
【０００２】
従来から、建物の敷地外と敷地内との間に配置されたフェンスに関する技術が提案されている。例えば、特許文献１には、採光パネルの帯状屈折面を通して敷地内の地面に向けて光を採り込み、同時に、採光パネルの光透過細帯面によってフェンスに目隠し機能を付与する技術が開示されている。
【先行技術文献】
【特許文献】
【０００３】
【特許文献１】特開２０１１−２７７８９号公報
【発明の概要】
【発明が解決しようとする課題】
【０００４】
しかしながら、特許文献１においては、日陰の発生による景観や植物育成への影響を解消するために意図的に地面に向けて光を出射するため、地面よりも高い位置まで十分に光を取り込むことができず、採光性を向上することが困難である。
【０００５】
本開示が解決しようとする課題は、プライバシー性を確保しつつ採光性を向上させることができるフェンスを提供することである。
【課題を解決するための手段】
【０００６】
上記の課題を解決するために、本開示の一態様では、
第１空間と第２空間との間に配置されるフェンスであって、
前記第１空間側から入射した光を前記第２空間側に出射する採光部材を備え、
前記採光部材は、前記第１空間側から入射した光を偏向して前記第２空間側に出射する偏向層を有する、フェンスが提供される。
【０００７】
前記採光部材は、前記第１空間側から入射した光を拡散させて前記第２空間側に出射する光拡散層を更に有してもよい。
【０００８】
前記光拡散層は、前記偏向層よりも前記第２空間側に配置されてもよい。
【０００９】
前記偏向層よりも前記第１空間側および前記第２空間側に、紫外線吸収剤が設けられていてもよい。
【００１０】
前記採光部材に積層された透明部材を更に備えてもよい。
【００１１】
前記透明部材は、前記採光部材に対して前記第１空間側および前記第２空間側の双方に配置されていてもよい。
【００１２】
前記透明部材は、光拡散性を有してもよい。
【００１３】
前記透明部材は、前記採光部材と面接合されていてもよい。
【００１４】
前記透明部材は、前記採光部材と面接合されていなくてもよい。
【００１５】
前記偏向層は、前記フェンスの熱膨張にともなって前記第１空間側に湾曲してもよい。
【００１６】
前記採光部材は、熱膨張率が異なる複数の層を有し、前記採光部材の温度上昇時に前記第１空間側に湾曲してもよい。
【００１７】
前記透明部材は、前記採光部材よりも前記第１空間側に配置され、温度上昇時に熱膨張にともなって前記第１空間側に湾曲し、
前記偏向層は、前記透明部材に押されて前記第１空間側に湾曲してもよい。
【００１８】
前記透明部材と前記採光部材との間に空隙が設けられていてもよい。
【００１９】
前記採光部材を複数備えてもよい。
【００２０】
前記複数の採光部材は、下端が上端よりも前記第１空間側に位置するように上下方向に対して傾斜して配置されていてもよい。
【００２１】
前記複数の採光部材は、上下方向に間隔を空けて配置されていてもよい。
【００２２】
前記採光部材の外周面を封止する封止部材を更に備えてもよい。
【００２３】
前記偏向層は、前記第１空間側から下向きに入射した光を上方側に偏向して前記第２空間側に出射してもよい。
【００２４】
前記第１空間は、建物の敷地外であり、前記第２空間は、建物の敷地内であってもよい。
【００２５】
前記透明部材に、紫外線吸収剤が設けられていてもよい。
【００２６】
前記採光部材に対して前記第１空間側に配置された第１透明部材と、
前記採光部材に対して前記第２空間側に配置された第２透明部材と、
前記第１透明部材および前記第２透明部材の少なくとも一方と前記採光部材との間に空隙を保持しながら、前記第１透明部材と前記第２透明部材との間に前記採光部材を固定する固定部材と、を更に備えてもよい。
【００２７】
前記採光部材、前記第１透明部材および前記第２透明部材の外周を覆う枠部材を更に備え、  
前記採光部材の下端部は、前記第１透明部材および前記第２透明部材の下端部よりも上方に位置してもよい。
【００２８】
前記採光部材、前記第１透明部材および前記第２透明部材の外周を覆う枠部材を更に備え、
前記枠部材の下端部分に、上下に貫通する貫通孔が設けられていてもよい。
【００２９】
前記固定部材は、粘着層を有してもよい。
【００３０】
前記固定部材は、前記採光部材を貫通するように前記第１透明部材から前記第２透明部材まで延びる棒状体を有してもよい。
【００３１】
前記採光部材、前記第１透明部材および前記第２透明部材の外周を覆う枠部材を更に備え、
前記第１透明部材および前記第２透明部材のうち一方の透明部材は、他方の透明部材側の表面に凹部が設けられ、
前記採光部材は、前記凹部内に位置し、
前記固定部材は、前記第２透明部材側の第１透明部材の表面における周縁部と、前記第１透明部材側の前記第２透明部材の表面における周縁部との間に位置する枠状のスペーサを有し、
前記採光部材、前記第１透明部材、前記第２透明部材および前記スペーサは、圧入された状態で前記枠部材に保持され、
前記スペーサは、前記他方の透明部材と前記採光部材との間に空隙を保持しながら、前記一方の透明部材側に前記採光部材を押圧することで前記採光部材を固定してもよい。
【発明の効果】
【００３２】
本発明によれば、プライバシー性を確保しつつ採光性を向上させることができる。
【図面の簡単な説明】
【００３３】
【図１】図１は、本実施形態によるフェンスを示す縦断面図である。
【図２】図２は、本実施形態によるフェンスを示す正面図である。
【図３】図３は、図１のフェンスにおける採光部の拡大図である。
【図４】図４は、第１の変形例によるフェンスにおける採光部の縦断面図である。
【図５】図５は、第２の変形例によるフェンスにおける採光部の縦断面図である。
【図６】図６は、第３の変形例によるフェンスにおける採光部の縦断面図である。
【図７】図７は、第４の変形例によるフェンスにおける採光部の縦断面図である。
【図８】図８は、第５の変形例によるフェンスにおける採光部の縦断面図である。
【図９Ａ】図９Ａは、第６の変形例によるフェンスにおける採光部の縦断面図である。
【図９Ｂ】図９Ｂは、第６の変形例によるフェンスにおける図９Ａと異なる採光部の縦断面図である。
【図１０】図１０は、第７の変形例によるフェンスにおける採光部の縦断面図である。
【図１１】図１１は、第８の変形例によるフェンスにおける採光部の縦断面図である。
【図１２】図１２は、第９の変形例によるフェンスにおける採光部の縦断面図である。
【図１３】図１３は、第１０の変形例によるフェンスにおける採光部の縦断面図である。
【図１４】図１４は、第１１の変形例によるフェンスにおける採光部の縦断面図である。
【図１５】図１５は、第１２の変形例によるフェンスにおける偏向層の縦断面図である。
【図１６】図１６は、第１３の変形例によるフェンスにおける偏向層の縦断面図である。
【図１７】図１７は、第１４の変形例によるフェンスにおける採光部の縦断面図である。
【図１８】図１８は、第１５の変形例によるフェンスにおける採光部の縦断面図である。
【図１９】図１９は、第１６の変形例によるフェンスにおける採光部の縦断面図である。
【図２０】図２０は、第１６の変形例によるフェンスにおける採光部の正面図である。
【図２１】図２１は、第１７の変形例によるフェンスにおける採光部の縦断面図である。
【図２２】図２２は、第１８の変形例によるフェンスにおける採光部の縦断面図である。
【発明を実施するための形態】
【００３４】
以下、図面を参照して本開示の実施形態について説明する。なお、本明細書に添付する図面においては、図面の理解のしやすさの便宜上、適宜縮尺および縦横の寸法比等を、実物のそれらから変更し誇張している場合がある。
【００３５】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００３６】
また、本明細書における「上下方向」は、鉛直方向に平行な面内において水平方向と非平行な方向であり、必ずしも鉛直方向とは一致しない。「上」とは、上下方向における一方であって、鉛直方向における「上」に近接する側又は方のことを指す。「下」とは、上下方向における「上」とは反対の側であって、鉛直方向における「下」に近接する側又は方のことを指す。
【００３７】
また、本明細書において、「シート」、「フィルム」、「板」等の用語は、呼称の違いのみに基づいて、それぞれ区別されるものではない。したがって、例えば、「シート」はフィルムや板と呼ばれ得るような部材も含む概念である。
【００３８】
図１〜図３は、本開示による一実施の形態を説明するための図である。このうち図１は、本実施形態によるフェンス１を示す縦断面図である。図２は、本実施形態によるフェンス１を第２空間３側から見た正面図である。図３は、図１のフェンス１における採光部１ａの拡大図である。
【００３９】
図１に示すように、フェンス１は、隣り合う第１空間２と第２空間３との間に配置される。図１〜図３に示すように、フェンス１は、上下方向ｄ２、上下方向ｄ２に直交する左右方向ｄ３、上下方向ｄ２および左右方向ｄ３に直交する前後方向ｄ１のそれぞれにわたって所定の寸法を有する。図示されている例において、フェンス１の左右方向ｄ３の寸法すなわち横幅は、上下方向ｄ２の寸法すなわち高さよりも大きく、前後方向ｄ１の寸法すなわち厚みは、横幅および高さよりも小さい。
【００４０】
第１空間２は、例えば、道路などの建物の敷地外であり、第２空間３は、例えば、建物の敷地内である。この場合、フェンス１は、建物の外構の少なくとも一部を構成する目隠し塀として機能する。図２では、単一のフェンス１のみが図示されているが、実際の使用状態においては、第１空間２と第２空間３とを広範囲にわたって隔てるために複数のフェンス１を隣接して設置する。なお、第１空間２は、第２空間３側の建物の敷地に隣接する他の建物の敷地内であってもよい。
【００４１】
フェンス１は、第１空間２側から入射した光を第２空間３側に射出する採光部１ａと、第１空間２側から入射した光を遮光する遮光部１ｂとを備える。遮光部１ｂは、地面などの設置面Ｓに固定されている。採光部１ａは、遮光部１ｂに対して上方ｄ２１側において、遮光部１ｂに固定されている。遮光部１ｂは、例えば、金属で構成されている。
【００４２】
採光部１ａは、第１空間２側から第２面Ｓ２に向かって順に、透明部材５と、粘着層６と、採光部材４と、を備える。また、採光部１ａは、透明部材５、粘着層６および採光部材４の外周を覆う枠部材７を備える。
【００４３】
透明部材５は、採光部材４に対して第１空間２側において、粘着層６を介して採光部材４に積層されている。言い換えれば、透明部材５は、粘着層６を介して採光部材４と面接合されている。透明部材５には、第１空間２側から太陽の可視光Ｌが入射し、入射した可視光Ｌは透明部材５を通して第２空間３に出射される。透明部材５は、例えば、可視光透過性を有したガラスまたは樹脂からなる板状の部材である。透明部材５を樹脂で構成する場合、樹脂として、例えばポリカーボネートを好適に用いることができる。
【００４４】
粘着層６は、可視光の透過性を有する接着剤である。粘着層６の粘着力で、偏向層４０が透明部材５に固定されている。粘着層６としては、例えば、アクリル樹脂、ポリビニルアルコール系の接着剤を好適に用いることができる。
【００４５】
採光部材４は、第１空間２側から入射した可視光Ｌを第２空間３側に出射する板状の部材である。採光部材４は、偏向層４０を有する。
【００４６】
偏向層４０は、第１空間２側から入射した可視光Ｌを偏向して第２空間３側に出射する。すなわち、偏向層４０は、第１空間２の可視光Ｌの光路を調整して当該可視光Ｌを第２空間３に採り込む採光機能を有する。より詳しくは、偏向層４０は、第１空間２側から下向きに入射した可視光Ｌを上方側に偏向して第２空間側に出射する。
【００４７】
採光機能のための具体的な構成として、図３の偏向層４０は、偏向部４１と基材部４２とを有する。基材部４２は、例えば、透明または半透明の樹脂製フィルムである。基材部４２は、後述する製造プロセスにしたがって偏向層４０を製造するために設けられている。基材部４２は省略してもよい。
【００４８】
偏向部４１は、第１部分４１１と、第２部分４１２と、第３部分４１３とを有する。なお、第３部分４１３は、第１部分４１１と同一の材料によって第１部分４１１と一体的に形成されている。以下、第１部分４１１と第３部分４１３とを総称して一体層４１ａとも呼ぶ。
【００４９】
第１部分４１１は、その第１空間２側の表面４１１ａにおいて粘着層６に接着されている。第１部分４１１の表面４１１ａには、上下方向ｄ２に間隔を空けて略楔状の複数の溝４１１ｂが形成されている。各溝４１１ｂは、図２に示されるフェンス１の左右方向ｄ３の全域にわたって第１部分４１１に形成されている。各溝４１１ｂの上下方向ｄ２の寸法は、第２空間３側すなわち第３部分４１３側に向かうにしたがって狭くなっており、最終的に寸法が殆どゼロの状態で閉塞している。第１部分４１１は、透光性材料で形成されている。この透光性材料は、例えば、ＰＥＴやアクリル樹脂などであってもよい。
【００５０】
第２部分４１２は、各溝４１１ｂを埋めるように各溝４１１ｂの内部に設けられている。第２部分４１２は、溝４１１ｂに倣った形状を有している。具体的には、第２部分４１２は、側面４１２ａと、急斜面４１２ｂと、緩斜面４１２ｃと、底面４１２ｄとを有している。側面４１２ａは、第１部分４１１の表面４１１ａと面一であり、粘着層６に接着されている。急斜面４１２ｂは、側面４１２ａの上端から第２空間３側に向かって延び、かつ、第２空間３側に向かうにしたがって下方ｄ２２に傾斜している。一方、緩斜面４１２ｃは、急斜面４１２ｂの第２空間３側の端部から第２空間３側に向かって延び、かつ、第２空間３側に向かうにしたがって下方ｄ２２に傾斜している。底面４１２ｄは、側面４１２ａの下端と緩斜面４１２ｃの第２空間３側の端部、すなわち下端とを接続している。
【００５１】
第２部分４１２は、第１部分４１１よりも可視光Ｌの屈折率が低い。これにより、第２部分４１２は、臨界角より大きい入射角で第１部分４１１側から斜面４１２ｂ、４１２ｃ、すなわち第１部分４１１との界面に入射した可視光Ｌ１、Ｌ２を全反射できる。
【００５２】
前後方向ｄ１に対する急斜面４１２ｂの傾斜角θ１は、前後方向ｄ１に対する緩斜面４１２ｃの傾斜角θ２に比べて大きい。なお、傾斜角θ２は、０°以上（θ２≧０）である。傾斜角θ２よりも傾斜角θ１が大きいことで、急斜面４１２ｂは、第１空間２の高い位置からの可視光Ｌ１を臨界角より大きい入射角で入射させ、入射した可視光Ｌ１を大きく立ち上げずに第２空間３の奥側に向けて全反射できる。一方、傾斜角θ２が小さいことで、緩斜面４１２ｃは、第１空間２の低い位置からの可視光Ｌ２を臨界角より大きい入射角で入射させ、入射した可視光Ｌ２を大きく立ち上げずに第２空間３の奥側に向けて全反射できる。第２空間３の奥側に可視光Ｌ１、Ｌ２を全反射させることで、第２空間３を明るく照明できる。すなわち、採り込んだ光の照明効果を向上できる。なお、図３では、急斜面４１２ｂまたは緩斜面４１２ｃに入射する可視光Ｌ１、Ｌ２を直線状に図示しているが、実際は屈折率が異なる界面を通るたびに屈折、すなわち偏向している。
【００５３】
第２部分４１２は、接着剤として機能する主部４１２ｅと、主部４１２ｅ中に分散された任意の機能性含有物４１２ｆとを有している。
【００５４】
主部４１２ｅは、第１部分４１１より低屈折率の材料で形成されている。主部４１２ｅの材料は、樹脂材料、例えば、電離放射線の照射で硬化する電離放射線硬化性樹脂であってもよい。電離放射線硬化性樹脂は、例えば、紫外線硬化性樹脂、電子線硬化性樹脂、可視光線硬化性樹脂または近赤外線硬化性樹脂などであってもよい。なお、主部４１２ｅの線膨張係数は、第１部分４１１の線膨張係数と同一又は近いことが望ましい。主部４１２ｅの線膨張係数を第１部分４１１の線膨張係数に同一又は近くすることで、主部４１２ｅの熱膨張による第１部分４１１からの第２部分４１２の剥離を抑制できる。
【００５５】
機能性含有物４１２ｆは、種々の機能を期待されて主部４１２ｅに分散されている。例えば、偏向層４０に遮熱機能を付与するため、機能性含有物４１２ｆとして熱線吸収材を採用してもよい。この場合、熱線吸収材は、例えば、透明性を有する無機ナノ粒子であってもよい。無機ナノ粒子は、例えば、アンチモン錫酸化物（ＡＴＯ）、インジウム錫酸化物（ＩＴＯ）、六ホウ化ランタン（ＬａＢ６）、アルミニウムドープ酸化亜鉛、インジウムドープ酸化亜鉛、ガリウムドープ酸化亜鉛、酸化タングステン、六ホウ化セリウム、無水アンチモン酸亜鉛および硫化銅またはそれらの混合物のナノ粒子等であってもよい。熱線吸収材を用いることで、太陽の熱線による第２空間３の温度上昇を抑えることができる。
【００５６】
また、偏向層４０に遮光機能や意匠性を付与するため、機能性含有物４１２ｆとして着色材を採用してもよい。この場合、着色材は、顔料、より具体的には、カーボンブラック、黒鉛、窒化チタン等の黒色顔料であってもよい。黒色顔料を用いることで、偏向層４０が可視光Ｌの遮光機能を発揮できる。また、紺色、青色、紫色等の青みを帯びた粒子、赤みを帯びた粒子、黄色みを帯びた粒子等を着色材として用いてもよい。偏向層４０の第２部分４１２は、異なる機能を有する２つ以上の層から構成されてもよい。例えば、第２部分４１２の第１空間２側の層は、遮熱機能を有し、第２部分４１２の第２空間３側の層は、意匠機能を有していてもよい。異なる機能を有する２つ以上の層によって偏向層４０を構成することで、例えば、低屈折率と遮熱機能とを両立させやすくなる。
【００５７】
偏向層４０は、例えば、次のようにして製造できる。先ず、電離放射線硬化性のエポキシアクリレート等の材料で、第１部分４１１と第３部分４１３との一体層４１ａを作製する。具体的には、第１部分４１１の溝４１１ｂの構成すなわち、配置、形状等に対応した凸部を有する型ロールを準備する。次いで、該型ロールとニップロールとの間に基材部４２のシートを送り込み、該シートの送り込みに合わせて、硬化性材料を型ロールと基材部４２との間に供給する。次いで、基材部４２上に供給された液状の硬化性材料が型ロールの凹部に充填されるように、型ロールおよびニップロールで該硬化性材料を押圧する。このとき、型ロールと基材部４２とが接触しないように基材部４２上に硬化性材料を供給しておくことで、第３部分４１３を確保しながら、硬化性材料に表面４１１ａおよび溝４１１ｂの形状が転写される。次いで、硬化性樹脂に光を照射して硬化性材料を硬化すなわち固化させることによって、一体層４１ａが得られる。次いで、一体層４１ａに、硬化することで主部４１２ｅをなすウレタンアクリレート等の硬化性材料と、機能性含有物４１２ｆとを含んだ液状の組成物を供給する。次いで、ドクターブレードを用いて、第１部分４１１の各溝４１１ｂの内部に、組成物を充填する。このとき、溝４１１ｂ外に溢れ出た余剰の組成物は、ドクターブレードで掻き落とす。次いで、電離放射線を照射して組成物を硬化させることで、第２部分４１２が得られる。このようにして、基材部４２および偏向部４１を有する偏向層４０が製造される。
【００５８】
なお、偏向層４０は、底面４１２ｄが第２空間３側に向かうにしたがって上方ｄ２１に傾斜していてもよい。また、偏向層４０は、機能性含有物４１２ｆを含まない偏向部４１より低屈折率の材料で構成してもよい。
【００５９】
枠部材７は、採光部材４の外周面を覆うことで、採光部材４の外周面を封止している。採光部材４の外周面を封止することで、雨水や塵埃などの異物が採光部材４の外周面から偏向層４０に侵入して偏向層４０の偏向性能を劣化させることを効果的に抑制することができる。枠部材７は、例えば、金属で構成されている。なお、枠部材７とは別に、採光部材４の外周面を封止する樹脂等の封止部材を設けてもよい。
【００６０】
以上のように構成されたフェンス１には、先ず、透明部材５に第１空間２から可視光Ｌが入射する。透明部材５に入射した可視光Ｌは、透明部材５を透過した後に粘着層６を透過する。粘着層６を透過した可視光Ｌは、偏向層４０に入射する。
【００６１】
偏向層４０のうち、第１部分４１１の表面４１１ａに入射した可視光Ｌは、第１部分４１１の内部を進行して、第１部分４１１より低屈折率の第２部分４１２との界面４１２ｂ、４１２ｃに入射する。このとき、急斜面４１２ｂは、高い位置からの可視光Ｌ１に対して平行に近い姿勢（θ１＞θ２）を有しているため、急斜面４１２ｂには、高い位置からの可視光Ｌ１が臨界角より大きい入射角で入射し易い。これにより、急斜面４１２ｂで高い位置からの可視光Ｌ１を確実に全反射できる。また、急斜面４１２ｂが下方ｄ２２に傾斜していることで、急斜面４１２ｂによる全反射方向は、水平方向すなわち前後方向ｄ１に近い状態になる。これにより、高い位置からの可視光Ｌ１の立ち上がりを抑えて、可視光Ｌ１を第２空間３の奥側に向けて全反射できる。一方、緩斜面４１２ｃは、低い位置からの可視光Ｌ２に対して平行に近い姿勢（θ２≧０）を有しているため、緩斜面４１２ｃには、低い位置からの可視光Ｌ２が臨界角より大きい入射角で入射し易い。これにより、緩斜面４１２ｃで低い位置からの可視光Ｌ２を確実に全反射できる。また、緩斜面４１２ｃが下方ｄ２２に傾斜していることで、緩斜面４１２ｃによる全反射方向は、水平方向に近い状態になる。これにより、低い位置からの可視光Ｌ２の立ち上がりを抑えて、可視光Ｌ２を第２空間３の奥側に向けて全反射できる。なお、急斜面４１２ｂで全反射された光Ｌ１は、臨界角より大きい入射角で緩斜面４１２ｃに入射し、緩斜面４１２ｃで第２空間３側に全反射されてもよい。
【００６２】
一方、偏向層４０のうち、第２部分４１２の側面４１２ａに入射した可視光Ｌは、機能性含有物４１２ｆに入射して機能性含有物４１２ｆの作用を受ける。例えば、機能性含有物４１２ｆが熱線吸収材である場合、可視光Ｌの熱を吸収して、第２空間３側への熱の伝達を抑制できる。
【００６３】
本実施形態によれば、第１空間２からの光Ｌを偏向層４０で偏向して第２空間３に採り込むことで、採光性を向上させることができる。また、偏向層４０の偏向機能により、第２空間３側から偏向層４０に入射した可視光を大きく立ち上げて第１空間２側に出射することができる。これにより、第２空間３側から偏向層４０に入射した可視光が第１空間２側に直進することを抑制することができるので、第２空間３側すなわち敷地内側の様子が第１空間２側すなわち敷地外側から明確に視認されることを抑制することができる。これにより、プライバシー性を確保することができる。すなわち、本実施形態によれば、プライバシー性を確保しつつ採光性を向上させることができる。
【００６４】
本実施形態のフェンス１は、図１〜図３に示した構成に限定されず、以下の各変形例に示すように種々変更できる。なお、以下の説明および以下の説明で用いる図面では、上述した実施の形態と同様に構成され得る部分について、上述の実施の形態における対応する部分に対して用いた符号と同一の符号を用いるとともに、重複する説明を省略する。
【００６５】
（第１の変形例）
図４は、第１の変形例によるフェンス１における採光部１ａの縦断面図である。図１〜図３では、採光部材４が偏向層４０を有するフェンス１の例について説明した。これに対して、第１の変形例の採光部材４は、偏向層４０に加えて、更に、第２粘着層６２と光拡散層８とを有する。
【００６６】
第２粘着層６２は、例えば、可視光の透過性を有する接着剤である。第２粘着層６２の粘着力で、光拡散層８が偏向層４０の基材部４２に固定されている。また、光拡散層８は、粘着層を介さず、基材部４２に隣接していてもよい。
【００６７】
光拡散層８は、偏向層４０よりも第２空間３側に配置されている。光拡散層８は、第１空間２側から入射した光Ｌを拡散させて第２空間３側に出射する。より詳しくは、光拡散層８は、偏向層４０で偏向された可視光Ｌを拡散させて第２空間３に出射する。光拡散層８は、例えば、型板ガラス、すりガラスまたはフロストガラス等であってもよい。また、透明部材や樹脂層に光拡散粒子を含有させることで光拡散性を有するように構成してもよい。
【００６８】
第１の変形例によれば、偏向層４０で偏向された可視光Ｌを光拡散層８で拡散させて拡散配光を得ることができるので、第２空間３を均一に明るく照明できるとともにプライバシー性を向上させることができる。また、光拡散層８を有することで、屈折率の異なる第１部分４１１及び第２部分４１２が繰り返し配列されていることに応じたぎらつきが第２空間３側から視認されることを抑制することができる。
【００６９】
（第２の変形例）
図５は、第２の変形例によるフェンス１における採光部１ａの縦断面図である。図４では、第１空間２側から入射した可視光Ｌを偏向および拡散させて第２面Ｓ２側に出射する例について説明した。これに対して、第２の変形例における採光部１ａは、可視光Ｌを偏向および拡散させる機能に加えて、更に、紫外線を吸収したり、反射したりする紫外線遮断機能を有する。具体的には、図５に示すように、採光部１ａは、透明部材５と粘着層６との間に、第１空間２側から第２空間３側に向かって順に、紫外線吸収粘着層９と、バリア層１０とを有する。また、採光部１ａは、偏向層４０と光拡散層８との間に第２紫外線吸収粘着層９２を有する。
【００７０】
紫外線吸収粘着層９は、偏向層４０よりも第１空間２側に配置されている。紫外線吸収粘着層９の粘着力で、バリア層１０および採光部材４が透明部材５に固定されている。紫外線吸収粘着層９は、紫外線吸収剤を含有し、かつ、可視光の透過性を有する接着剤である。紫外線吸収粘着層９は、第１空間２側から入射した紫外線Ｌ３を吸収することで、偏向層４０への紫外線Ｌ３の入射を抑制する。
【００７１】
第２紫外線吸収粘着層９２は、偏向層４０よりも第２空間３側に配置されている。第２紫外線吸収粘着層９２の粘着力で、光拡散層８が偏向層４０の基材部４２に固定されている。第２紫外線吸収粘着層９２は、紫外線吸収剤を含有し、かつ、可視光の透過性を有する接着剤である。第２紫外線吸収粘着層９２は、第２空間３側から入射した紫外線を吸収することで、偏向層４０への紫外線の入射を抑制する。
【００７２】
紫外線吸収粘着層９および第２紫外線吸収粘着層９２の紫外線吸収機能としては、例えば、波長３８０ｎｍ〜２００ｎｍの範囲に含まれる所定の波長における光透過率を５％以下にすることができる。
【００７３】
バリア層１０は、紫外線吸収粘着層９の粘着力で透明部材５に固定されている。バリア層１０は、例えば、ＰＥＴ（ポリエチレンテレフタレート）などの樹脂からなるフィルムである。バリア層１０は、紫外線吸収粘着層９に含有される紫外線吸収剤が偏向層４０に侵入することを抑制する。これにより、紫外線吸収剤による偏向層４０の劣化を抑制できる。
【００７４】
第２の変形例によれば、偏向層４０よりも第１空間２側および第２空間３側に紫外線吸収剤を設けることで、第１の変形例の作用効果に加えて、更に、紫外線による偏向層４０の劣化を抑制することができる。
【００７５】
（第３の変形例）
図６は、第３の変形例によるフェンス１における採光部１ａの縦断面図である。図１〜図３では、採光部材４に対して第１空間２側に透明部材５が配置される例について説明した。これに対して、第３の変形例における採光部１ａは、図６に示すように、図１〜図３の構成に加えて、更に、第２粘着層６２と第２透明部材５２とを備える。
【００７６】
第２透明部材５２は、採光部材４に対して第２空間３側において、第２粘着層６２を介して採光部材４に積層されている。言い換えれば、第２透明部材５２は、第２粘着層６２を介して採光部材４と面接合されている。第２透明部材５２には、第１空間２側から偏向層４０で偏向された後に第２粘着層６２を透過した可視光Ｌが入射する。第２透明部材５２に入射した可視光Ｌは、第２透明部材５２を通して第２空間３に出射される。第２透明部材５２は、透明部材５と同様に、例えば、可視光透過性を有したガラスまたは樹脂からなる板状の部材である。透明部材５および５２は紫外線吸収剤を含有してもよい。
【００７７】
第２粘着層６２は、可視光の透過性を有する接着剤である。粘着層６の粘着力で、偏向層４０が第２透明部材５２に固定されている。第２粘着層６２としては、粘着層６と同様に、例えば、アクリル系樹脂、ポリビニルアルコール系の粘着剤を好適に用いることができる。粘着層６および第２粘着層６２は紫外線吸収剤を含有してもよい。
【００７８】
第３の変形例によれば、採光部材４に対して第１空間２側および第２空間３側の双方に透明部材５、５２が配置されていることで、図１〜図３の構成の作用効果に加えて、更に、耐久性を向上させることができる。
【００７９】
（第４の変形例）
図７は、第４の変形例によるフェンス１における採光部１ａの縦断面図である。図４では、偏向層４０に対して第２空間３側に光拡散層８を配置する例について説明した。これに対して、第４の変形例における採光部１ａは、図７に示すように、図４の構成に加えて、更に、透明部材５の第２空間３側の表面に凹凸面５ａが設けられている。凹凸面５ａが設けられていることで、透明部材５は、光拡散性を有する。透明部材５は、例えば、型板ガラス、すりガラスまたはフロストガラス等であってもよい。粘着層６は紫外線吸収剤を含有してもよい。
【００８０】
第４の変形例によれば、偏向層４０に対して第１空間２側および第２空間３側の双方に光拡散機能を設けることができるので、防眩性を向上させることができる。また、第２空間３側から採光部１ａに入射して第１空間２側に出射される光を透明部材５の凹凸面５ａで拡散させることもできるので、第２空間３側から第１空間２側への採光効率を向上させることも可能となる。
【００８１】
（第５の変形例）
図８は、第５の変形例によるフェンス１における採光部１ａの縦断面図である。図７では、透明部材５に凹凸面５ａを設けることで透明部材５が光拡散性を有する例について説明した。これに対して、図８に示すように、透明部材５に光拡散粒子５１を含有させることで、透明部材５が光拡散性を有するように構成してもよい。光拡散粒子５１としては、例えば、無機粒子、樹脂粒子またはこれらの組合せを用いることができる。粘着層６は紫外線吸収剤を含有してもよい。
【００８２】
（第６の変形例）
図９Ａは、第６の変形例によるフェンス１における採光部１ａの縦断面図である。図６では、透明部材５、５２が粘着層６、６２を介して採光部材４に面接合された例について説明した。これに対して、第６の変形例における透明部材５、５２は、図９Ａに示すように、採光部材４に面接合されておらず、空隙層１１Ａ、１１Ｂを隔てて採光部材４に対面している。
【００８３】
透明部材５、５２および採光部材４は、それらの外周面が図１で説明した枠部材７の一定の位置に固定されていることで、空隙層１１Ａ、１１Ｂを保持している。
【００８４】
ここで、透明部材５、５２をポリカーボネート等の樹脂で構成する場合、可視光Ｌによって透明部材５、５２が加熱されることで、透明部材５から水分および空気が発生し、発生した水分および空気が粘着層６、６２に移動して粘着層６、６２を剥離させる可能性がある。粘着層６、６２が剥離する場合、偏向層４０の光学特性が大きく変化する可能性がある。
【００８５】
これに対して、第６の変形例によれば、透明部材５、５２と採光部材４とを面接合しないことで、透明部材５、５２から発生した水分および空気が偏向層４０の光学特性に影響を与えないようにすることができる。
【００８６】
したがって、第６の変形例によれば、図６の構成の作用効果に加えて、更に、光学特性の安定性を向上させることができる。図９Ｂに示すように、透明部材５および５２は紫外線吸収剤１３を含有してもよい。紫外線吸収剤１３としては、例えば、ベンゾトリアゾール系、トリアジン系、ベンゾフェノン系、ベンゾエート系等の各種の紫外線吸収剤を用いることができる。
【００８７】
（第７の変形例）
図１０は、第７の変形例によるフェンス１における採光部１ａの縦断面図である。図１０に示すように、図９Ａの構成において、更に、透明部材５の第２空間３側の面および第２透明部材５２の第１空間２側の面のそれぞれに凹凸面５ａを設けることで、透明部材５、５２が光拡散性を有するように構成してもよい。第７の変形例によれば、図９Ａの構成に加えて、更に、防眩性を向上させることができる。図９Ｂと同様に、第７の変形例においても、透明部材５および５２は紫外線吸収剤１３を含有してもよい。
【００８８】
（第８の変形例）
図１１は、第８の変形例によるフェンス１における採光部１ａの縦断面図である。図１１に示すように、図９Ａの構成において、更に、透明部材５および第２透明部材５２に光拡散粒子５１を含有させることで透明部材５、５２が光拡散性を有するように構成してもよい。第７の変形例によれば、図９Ａの構成に加えて、更に、防眩性を向上させることができる。図９Ｂと同様に、第８の変形例においても、透明部材５および５２は紫外線吸収剤１３を含有してもよい。
【００８９】
（第９の変形例）
図１２は、第９の変形例によるフェンス１における採光部１ａの縦断面図である。図１〜図３では、偏向層４０の形状が一定である例について説明した。これに対して、第９の変形例における偏向層４０は、図１２に示すように、フェンス１の熱膨張にともなって第１空間２側に湾曲するように構成されている。
【００９０】
例えば、透明部材５は、採光部材４よりも第１空間２側に配置され、温度上昇時に熱膨張にともなって第１空間２側に湾曲し、偏向層４０は、透明部材５に押されて第１空間２側に湾曲する。または、偏向層４０は、熱膨張率が異なる複数の層の一例である第１部分４１１と第２部分４１２との熱膨張率差によって、温度上昇時に第１空間２側に湾曲する。図１２の例では、第２部分４１２の熱膨張率すなわち線膨張係数が第１部分４１１の熱膨張率よりも大きければ、偏向層４０のうちの第２部分４１２が設けられている第１空間２側の面の膨張量が偏向層４０のうちの第２部分４１２が設けられていない第２空間３側の面の膨張量よりも大きくなるため、偏向層４０は温度上昇時に第１空間２側に湾曲することができる。
【００９１】
また、図１２の例では、透明部材５の熱膨張率が偏向層４０の熱膨張率よりも大きければ、透明部材５の膨張量が偏向層４０の膨張量よりも大きくなるため、偏向層４０は温度上昇時に第１空間２側に湾曲することができる。
【００９２】
屋外に配置されるフェンス１は、太陽の光に晒されるため、温度上昇による熱膨張が生じ易い。第９の変形例によれば、熱膨張によって偏向層４０が第１空間２側に湾曲するように構成されていることで、図１２の破線部で示す熱膨張前の光Ｌの進行方向に対して、図１２の実線部で示す熱膨張後の光Ｌの進行方向の変化を抑制することができる。すなわち、偏向層４０の熱膨張後においても、偏向層４０が第２空間３の奥側に十分な光量の可視光Ｌを全反射させることができる。
【００９３】
第９の変形例によれば、図１〜図３の作用効果に加えて、更に、採光効率の温度依存性を緩和することができる。
【００９４】
（第１０の変形例）
図１３は、第１０の変形例によるフェンス１における採光部１ａの縦断面図である。これまでは、採光部１ａが単一の採光部材４を備えた例について説明した。これに対して、第１０の変形例における採光部１ａは、図１３に示すように、複数の採光部材４を備える。
【００９５】
より詳しくは、複数の採光部材４は、下端が上端よりも第１空間２側に位置するように上下方向ｄ２に対して傾斜して配置されている。また、複数の採光部材４は、上下方向ｄ２に間隔を空けて配置されている。また、各採光部材４の外周面は、樹脂等の封止部材１２で覆われている。各採光部材４は第３の変形例で示されるように、粘着を介して透明基材で挟まれた構成としてもよい。各粘着層は紫外線吸収剤を含有してもよい。
【００９６】
屋外に配置されるフェンス１は、風に晒されるため、風圧による影響を受け易い。第１０の変形例によれば、複数の採光部材４が間隔を空けて配置されていることで、隣り合う採光部材４間の間隙部を通して風を逃がすことができる。これにより、フェンス１に作用する風圧を緩和して風圧によるフェンス１の劣化を抑制することができる。
【００９７】
また、下端が上端よりも第１空間２側に位置するように各採光部材４が上下方向ｄ２に対して傾斜しているため、偏向層４０における可視光Ｌ１の立ち上がりを抑えて、可視光Ｌ１を第２空間３の奥側に向けて全反射させることができる。
【００９８】
（第１１の変形例）
図１４は、第１１の変形例によるフェンス１における採光部１ａの縦断面図である。これまでは、第１空間２側から入射した光Ｌの進行方向を偏向して第２空間３側に誘導する偏向層４０の具体的な構成を説明した。しかしながら、上述した偏向層４０の構成は一例に過ぎず、種々の構成を採用することができる。
【００９９】
例えば、図１４に示すように、偏向層４０は、プリズムの態様であってもよい。具体的には、図１４の例において、偏向層４０は、プリズム面４００を有し、プリズム面４００での反射や屈折によって可視光Ｌを偏向して第２空間３に採り込む。
【０１００】
より詳しくは、第１１の変形例の偏向層４０は、シート状の基部４０１と、基部４０１上に配列された複数の単位プリズム４０２とを有している。基部４０１と単位プリズム４０２とは、透光性材料で形成されている。単位プリズム４０２は、上下方向ｄ２に配列され、左右方向ｄ３に延びている。各単位プリズム４０２は、基部４０１の一方の面上に隙間無く配列されている。
【０１０１】
単位プリズム４０２は、上下方向ｄ２に対向して配置された第１面４０２ａと第２面４０２ｂとを有する。偏向層４０は、第１面４０２ａおよび第２面４０２ｂの一方から単位プリズム４０２に入射した可視光Ｌを、第１面４０２ａおよび第２面４０２ｂの他方で反射、とりわけ全反射する。これにより、偏向層４０は、可視光Ｌを偏向させて第２空間３側に出射できる。
【０１０２】
第１１の変形例においても、既述の実施形態および変形例のフェンス１と同様に、偏向層４０を備えることで、プライバシー性を確保しつつ採光性を向上させることができる。また、偏向層４０をプリズムで構成することで、偏向層４０の部品点数を削減できる。
【０１０３】
（第１２の変形例）
図１５は、第１２の変形例によるフェンス１における偏向層４０の縦断面図である。図１５に示すように、偏向層４０は、クレーズの態様であってもよい。クレーズとは、樹脂フィルムに形成された略直線状のひび、あるいは割れ目のことである。とりわけ、第１２の変形例におけるクレーズは、樹脂フィルムに形成されるひびあるいは割れ目の壁面間に樹脂フィブリルすなわち繊維状の樹脂が残存しているものをいい、樹脂フィブリルが残存していないクラックとは異なる。
【０１０４】
図１５に示すように、第１２の変形例の偏向層４０は、樹脂フィルムからなる基部４１０と、基部４１０の第１空間２側の表面４１０ａに形成された複数のクレーズ４１１とを有する。
【０１０５】
クレーズ４１１は、例えば、刃物やブレードなどの先端が鋭利な直線状の板で、直線に沿った微小な曲げ変形を樹脂フィルムに付与することで得ることができる。
【０１０６】
このような第１２の変形例のフェンス１において、偏向層４０のクレーズ４１１に入射した可視光Ｌは、クレーズ４１１内を進行したうえで、樹脂フィブリル４１１ａすなわち高屈折率層の間の空隙４１１ｂすなわち低屈折率層に入射する。なお、図１５では、１つの空隙４１１ｂのみを代表的に図示している。空隙４１１ｂへの可視光Ｌの入射角が臨界角より大きい場合、可視光Ｌは、空隙４１１ｂで全反射されて第２空間３側に進行する。可視光Ｌは、ランダムに配置された複数の空隙４１１ｂで全反射するため、可視光Ｌは様々な角度で出射する。したがって、偏向層４０が光拡散機能を有し、ぎらつきを抑制することが期待できる。
【０１０７】
第１２の変形例においても、既述の実施形態および変形例のフェンス１と同様に、偏向層４０を備えることで、プライバシー性を確保しつつ採光性を向上させることができる。また、偏向層４０をクレーズで構成することで、偏向層４０の部品点数を削減できる。
【０１０８】
（第１３の変形例）
図１６は、第１３の変形例によるフェンス１における偏向層４０の縦断面図である。図１６に示すように、偏向層４０は、ミラールーバの態様であってもよい。第１３の変形例の偏向層４０は、上下方向ｄ２に間隔を空けて配列された複数のブレード４１５を有する。各ブレード４１５は、その上面４１５ａで可視光Ｌを鏡面反射することで、可視光Ｌを第２空間３側に偏向させる。図１６に示された偏向層４０は、切り込み４１６を形成された透明基材４１４を用意し、次に、透明基材４１４の切り込み４１６に、アルミニウム等の高反射率材料を充填することで、作製され得る。この方法で得られた偏向層４０において、ブレード４１５の上面４１５ａは、アルミニウム等の高反射率材料で形成される。また、別の例として、ブレード４１５が、空隙で構成されていてもよい。この例では、透明基材と空隙からなるブレード４１５との屈折率差に起因した全反射を引き起こすことができ、全反射による反射損失を生じさせない偏向機能を期待することができる。
【０１０９】
第１６の変形例においても、既述の実施形態および変形例のフェンス１と同様に、偏向層４０を備えることで、プライバシー性を確保しつつ採光性を向上させることができる。
【０１１０】
（第１４の変形例）
図１７は、第１４の変形例によるフェンス１における採光部１ａの縦断面図である。図９Ａでは、透明部材５、５２から発生した水分および空気が偏向層４０の光学特性に影響を与えないようにするため、透明部材５、５２が空隙層１１Ａ、１１Ｂを隔てて採光部材４に対面している例について説明した。また、図９Ａでは、透明部材５、５２および採光部材４のそれぞれの外周面が透明部材５および第２透明部材５２の外周を覆う枠部材７の一定の位置に固定されていることで、空隙層１１Ａ、１１Ｂが保持されている例について説明した。
【０１１１】
これに対して、第１４の変形例における採光部１ａは、図７に示すように、透明部材５および第２透明部材５２と採光部材４との間に空隙層１１Ａ、１１Ｂを保持しながら、透明部材５と第２透明部材５２との間に採光部材４を固定する固定部材１４を備える。
【０１１２】
図１７に示される例において、固定部材１４は、第１粘着層１４１と第２粘着層１４２とを有する。第１粘着層１４１は、採光部材４側の透明部材５の表面の上端部と透明部材５側の採光部材４の表面の上端部との間に位置し、採光部材４を透明部材５に接着して固定する層である。第２粘着層１４２は、採光部材４側の第２透明部材５２の表面の上端部と第２透明部材５２側の採光部材４の表面の上端部との間に位置し、採光部材４を第２透明部材５２に接着して固定する層である。第１粘着層１４１および第２粘着層１４２は、例えば、両面粘着テープで構成することができる。
【０１１３】
また、図１７に示される例において、採光部材４の下端部は、透明部材５および第２透明部材５２の下端部よりも上方ｄ２１に位置する。
【０１１４】
このような構成によれば、粘着層１４１、１４２によって、透明部材５、５２と採光部材４との間に空隙層１１Ａ、１１Ｂを保持しながら、透明部材５と第２透明部材５２との間に採光部材４を固定することができる。これにより、透明部材５、５２と採光部材４との面接合を抑制することで透明部材５、５２から発生した水分および空気が偏向層４０の光学特性に与える影響を抑制することができるとともに、採光部材４の固定状態の安定性を向上させることができる。
【０１１５】
また、粘着層１４１、１４２による採光部材４の接着範囲を採光部材４の全面ではなく一部に限定することで、透明部材５、５２から発生した水分および空気が偏向層４０の光学特性に与える影響を更に効果的に抑制することができる。また、粘着層１４１、１４２と採光部材４との熱膨張率差に起因して採光部材４に皺が発生することを抑制することができる。また、採光部材４の下端部が透明部材５、５２の下端部よりも上方ｄ２１に位置することで、枠部材７の内底面上に貯留された雨水や結露が採光部材４の下端部から内部に浸透して採光部材４の光学特性を劣化させることを抑制することができる。
【０１１６】
（第１５の変形例）
図１８は、第１５の変形例によるフェンス１における採光部１ａの縦断面図である。図１８に示すように、枠部材７の下端部分に、上下方向ｄ２に貫通する貫通孔７１が設けられていてもよい。
【０１１７】
このような構成によれば、枠部材７の内底面上への雨水や結露の貯留を抑制することができるので、図１７に示される構成よりも更に効果的に水による採光部材４の光学特性の劣化を抑制することができる。
【０１１８】
（第１６の変形例）
図１９は、第１６の変形例によるフェンス１における採光部１ａの縦断面図である。図２０は、第１６の変形例によるフェンス１における採光部材４の正面図である。図１７では、固定部材１４が第１粘着層１４１および第２粘着層１４２で構成された例について説明した。これに対して、第１６の変形例における固定部材１４は、採光部材４を貫通するように透明部材５から第２透明部材５２まで前後方向ｄ１に延びる棒状体１４３で構成されている。棒状体１４３の前後方向ｄ１の寸法は、採光部材４の前後方向ｄ１の寸法よりも大きい。棒状体１４３は、透明部材５および第２透明部材５２の少なくとも一方に固定されている。
【０１１９】
図２０に示される例において、棒状体１４３は、フェンス１の上端部の近傍位置において左右方向ｄ３に間隔を空けて一対配置されている。また、図２０に示される例においては、棒状体１４３の断面は円形状を有する。棒状体１４３を貫通させるために採光部材４に設けられた貫通孔４ａの内径は、採光部材４の熱膨張にともなう貫通孔４ａの寸法変化を考慮して、棒状体１４３の外径よりも大きく形成されていることが望ましい。
【０１２０】
このような構成によれば、棒状体１４３によって、透明部材５、５２と採光部材４との間に空隙層１１Ａ、１１Ｂを保持しながら、透明部材５と第２透明部材５２との間に採光部材４を安定的に固定することができる。また、透明部材５、５２に粘着しない棒状体１４３を用いることで、透明部材５、５２から発生した水分および空気による透明部材５、５２からの棒状体１４３の剥離は生じない。これにより、透明部材５、５２から発生した水分および空気が偏向層４０の光学特性に与える影響を無くすことができる。
【０１２１】
（第１７の変形例）
図２１は、第１７の変形例によるフェンス１における採光部１ａの縦断面図である。図２１に示される例において、透明部材５側の第２透明部材５２の表面には、透明部材５と反対側に向かって凹部５２１が設けられている。採光部材４は、凹部５２１内に位置する。凹部５２１の深さすなわち前後方向ｄ１の寸法は、採光部材４の前後方向ｄ１の寸法以下である。また、固定部材１４は、第２透明部材５２側の透明部材５の表面における周縁部と、透明部材５側の第２透明部材５２の表面における周縁部との間に位置する枠状のスペーサ１４４で構成されている。
【０１２２】
採光部材４、透明部材５、第２透明部材５２およびスペーサ１４４は、枠部材７に圧入された状態で枠部材７に保持されている。スペーサ１４４は、透明部材５と採光部材４との間に空隙層１１Ａを保持しながら、第２透明部材５２側に採光部材４を押圧することで採光部材４を固定する。
【０１２３】
このような構成によれば、スペーサ１４４によって、透明部材５と採光部材４との間に空隙層１１Ａを保持しながら、透明部材５と第２透明部材５２との間に採光部材４を安定的に固定することができる。また、透明部材５に粘着しないスペーサ１４４を用いることで、透明部材５から発生した水分および空気による透明部材５からのスペーサ１４４の剥離は生じない。これにより、透明部材５から発生した水分および空気が偏向層４０の光学特性に与える影響を無くすことができる。なお、凹部は、透明部材５側に設けられていてもよい。この場合には、凹部内に位置する採光部材４をスペーサ１４４によって透明部材５側に押圧して固定することができる。
【０１２４】
（第１８の変形例）
図２２は、第１８の変形例によるフェンス１における採光部１ａの縦断面図である。図２２に示す例において、固定部材１４は、上下方向ｄ２に間隔を空けて透明部材５と採光部材４とを間欠的に接着する第１粘着層１４５と、上下方向ｄ２に間隔を空けて第２透明部材５２と採光部材４とを間欠的に接着する第２粘着層１４６とを有する。図２２に示される例において、粘着層１４５、１４６は、上下方向ｄ２において互いに隣接する複数の凸部１４７であって、突出方向の先端部において採光部材４に接するように採光部材４側に突出した複数の凸部１４７を有する。
【０１２５】
このような構成によれば、採光部材４と間欠的に接着するように構成された粘着層１４５、１４６によって透明部材５、５２と採光部材４との間に空隙層１１Ａ、１１Ｂを保持しながら、透明部材５と第２透明部材５２との間に採光部材４を安定的に固定することができる。これにより、透明部材５、５２と採光部材４との面接合を抑制することで透明部材５、５２から発生した水分および空気が偏向層４０の光学特性に与える影響を抑制することができるとともに、採光部材４の固定状態の安定性を向上させることができる。
【０１２６】
なお、上述した実施形態に対するいくつかの変形例を説明してきたが、当然に、複数の変形例を適宜組み合わせて適用することも可能である。
【０１２７】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【０１２８】
１  フェンス、２  第１空間、３  第２空間、４  採光部材、４０  偏向層
【図１】
2020037849.tif 000003
【図２】
2020037849.tif 000004
【図３】
2020037849.tif 000005
【図４】
2020037849.tif 000006
【図５】
2020037849.tif 000007
【図６】
2020037849.tif 000008
【図７】
2020037849.tif 000009
【図８】
2020037849.tif 000010
【図９Ａ】
2020037849.tif 000011
【図９Ｂ】
2020037849.tif 000012
【図１０】
2020037849.tif 000013
【図１１】
2020037849.tif 000014
【図１２】
2020037849.tif 000015
【図１３】
2020037849.tif 000016
【図１４】
2020037849.tif 000017
【図１５】
2020037849.tif 000018
【図１６】
2020037849.tif 000019
【図１７】
2020037849.tif 000020
【図１８】
2020037849.tif 000021
【図１９】
2020037849.tif 000022
【図２０】
2020037849.tif 000023
【図２１】
2020037849.tif 000024
【図２２】
2020037849.tif 000025